(57)【要約】【課題】小型化を図ることが可能なプッシュイン式の端子台を提供すること。【解決手段】ハウジングと、ハウジングの内部に並列に設けられた複数のスイッチ部とを備え、複数のスイッチ部の各々が、複数のスイッチ部の並列方向に交差する方向に間隔を空けて並んで配置された共通端子、第１端子および第２端子を有し、前記共通端子および前記第１端子に接続された第１導通経路と、前記共通端子および前記第２端子に接続された第２導通経路とをそれぞれ切り替え可能な端子台において、複数のスイッチ部の隣接するスイッチ部における共通端子間を接続可能に配置された接続部をさらに備える。【選択図】図３
2020095828.tif 000002
【特許請求の範囲】
【請求項１】
電線の導体部をそれぞれ挿抜可能な複数の貫通孔が設けられた端子接続面を有する箱状のハウジングと、
前記ハウジングの内部に並列に設けられ、前記複数の貫通孔の各々を介して前記ハウジングの内部に挿入された前記電線の前記導体部に対して接触可能に配置された複数の端子をそれぞれ有する複数のスイッチ部と
を備え、
前記複数のスイッチ部の各々が、
前記複数の端子として、前記複数のスイッチ部の並列方向に交差する方向に間隔を空けて並んで配置された共通端子、第１端子および第２端子を有し、前記共通端子および前記第１端子に接続された第１導通経路と、前記共通端子および前記第２端子に接続された第２導通経路とをそれぞれ切り替え可能な端子台において、
前記複数のスイッチ部の隣接するスイッチ部における前記共通端子間を接続可能に配置された接続部をさらに備える、プッシュイン式の端子台。
【請求項２】
一対の接続端子をさらに備え、
前記接続部が、前記隣接するスイッチ部の一方の前記共通端子と前記一対の接続端子の一方とを接続可能に配置された第１接続部と、前記隣接するスイッチ部の他方の前記共通端子と前記一対の接続端子の一方とを接続可能に配置された第２接続部とで構成されている、請求項１の端子台。
【請求項３】
前記第１接続部および前記第２接続部の各々が、前記隣接するスイッチ部の一方の前記共通端子と前記一対の接続端子の一方との間の接続状態、および、前記隣接するスイッチ部の他方の前記共通端子と前記一対の接続端子の一方との間の接続状態を切り替え可能なスイッチで構成されている、請求項２の端子台。
【請求項４】
前記第１接続部が、前記共通端子、前記第１端子および前記第２端子の配列方向に交差する方向に沿ってスライド可能なスライドスイッチであり、
前記第２接続部が、前記配列方向に沿ってスライド可能なスライドスイッチである、請求項３の端子台。
【発明の詳細な説明】
【技術分野】
【０００１】
本開示は、いわゆるプッシュイン式の端子台に関する。
【背景技術】
【０００２】
特許文献１には、スイッチ部と、スイッチ部を操作する操作部とを備えた押ボタンスイッチが開示されている。この押ボタンスイッチでは、スイッチ部が、並列された２つのスイッチ本体で構成され、各スイッチ本体は、コモン端子金具と、常閉型の接点を備えた固定端子金具と、常開型の接点を備えた固定端子金具とを有し、コモン端子金具および両固定端子金具のそれぞれに、配線用の外部接続端子が設けられている。
【先行技術文献】
【特許文献】
【０００３】
【特許文献１】特開２００１−１６７６６１号公報
【発明の概要】
【発明が解決しようとする課題】
【０００４】
ところで、電線をハウジングの貫通孔からその内部に挿入するだけで工具を使用せずに電線と端子を接続可能ないわゆるプッシュイン式の端子台では、一般に、１つの接続端子には１つの電線のみを接続することができる。
【０００５】
前記押ボタンスイッチの各スイッチ本体をプッシュイン式の端子台に変更した場合、例えば、他の押ボタンスイッチとの間を渡り線で接続するためには、渡り線用の端子を設ける必要がある。この場合、必要な端子数が増加してスイッチ部が大きくなり、前記押ボタンスイッチの小型化を図れないおそれがある。
【０００６】
本開示は、小型化を図ることが可能なプッシュイン式の端子台を提供することを課題とする。
【課題を解決するための手段】
【０００７】
本開示の一例の端子台は、
電線の導体部をそれぞれ挿抜可能な複数の貫通孔が設けられた端子接続面を有する箱状のハウジングと、
前記ハウジングの内部に並列に設けられ、前記複数の貫通孔の各々を介して前記ハウジングの内部に挿入された前記電線の前記導体部に対して接触可能に配置された複数の端子をそれぞれ有する複数のスイッチ部と
を備え、
前記複数のスイッチ部の各々が、
前記複数の端子として、前記複数のスイッチ部の並列方向に交差する方向に間隔を空けて並んで配置された共通端子、第１端子および第２端子を有し、前記共通端子および前記第１端子に接続された第１導通経路と、前記共通端子および前記第２端子に接続された第２導通経路とをそれぞれ切り替え可能な端子台において、
前記複数のスイッチ部の隣接するスイッチ部における前記共通端子間を接続可能に配置された接続部をさらに備える。
【発明の効果】
【０００８】
前記端子台によれば、複数のスイッチ部の隣接するスイッチ部における共通端子間を接続可能に配置された接続部を備えている。この接続部により、各スイッチ部の共通端子を渡り線用の端子として利用することができるので、渡り線専用の端子を設ける必要がない。その結果、設ける端子の数を低減して、小型化を図ることが可能なプッシュイン式の端子台を実現できる。
【図面の簡単な説明】
【０００９】
【図１】本開示の一実施形態の端子台を備えた押ボタンスイッチの斜視図。
【図２】図１のII-II線に沿った断面図。
【図３】図１の端子台の第２面を示す平面図。
【図４】図１の端子台のスライドスイッチの動作を説明するための第１の平面図。
【図５】図１の端子台のスライドスイッチの動作を説明するための第２の平面図。
【図６】図１の端子台の第１の変形例を示す回路図。
【図７】図１の端子台の第２の変形例を示す斜視図。
【図８】図１の端子台の第３の変形例を示す第２面の平面図。
【図９】図１の端子台の第３の変形例を示す第１の模式図。
【図１０】図１の端子台の第３の変形例を示す第２の模式図。
【図１１】図１の端子台の第４の変形例を示す第２面の平面図。
【図１２】図１の端子台の第４の変形例を示す第１の模式図。
【図１３】図１の端子台の第４の変形例を示す第２の模式図。
【図１４】図１の端子台の第５の変形例を示す第２面の平面図。
【図１５】図１の端子台の第５の変形例を示す第１の模式図。
【図１６】図１の端子台の第５の変形例を示す第２の模式図。
【発明を実施するための形態】
【００１０】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１１】
本開示の一実施形態の端子台１０は、電線の導体部をハウジングの貫通孔からその内部に挿入するだけで工具を使用せずに電線の導体部とハウジングの内部に収容された端子電極部とを接続可能なプッシュイン式の端子台で、例えば、図１に示すように、押ボタンスイッチ１の一部を構成する。押ボタンスイッチ１は、端子台１０と、この端子台１０に接続された操作部２０とを備えている。
【００１２】
端子台１０は、一例として、略直方体の箱状のハウジング１１を有している。このハウジング１１は、操作部２０が接続された第１面１１１と、第１面１１１に直交する第１方向Ｚに沿って第１面１１１と並んで配置されている第２面１１２（端子接続面の一例）とを有している。
【００１３】
また、操作部２０は、一例として、端子台１０の第１面１１１から第１方向Ｚに延びる略円筒形状で、第１方向Ｚでかつ第１面１１１から遠い方の端部に、第１方向Ｚに移動可能な可動部２１が設けられている。
【００１４】
なお、以下の記載において、第１方向Ｚに直交する方向でかつ第１面１１１の長手方向に平行な方向を第２方向Ｙとし、第１方向Ｚに直交する方向でかつ第１面１１１の短手方向に平行な方向を第３方向Ｘとする。
【００１５】
図２に示すように、端子台１０のハウジング１１の内部には、複数のスイッチ部３０が設けられている。各スイッチ部３０は、接点機構部３１と、この接点機構部３１に電気的に接続された複数の端子３２（図２では、１つのみ示す）と、隣接するスイッチ部３０を接続可能に配置された接続部４０とが設けられている。なお、この実施形態では、端子台１０の内部には、２つのスイッチ部３０（すなわち、第１スイッチ部３０１および第２スイッチ部３０２）が設けられている。
【００１６】
接点機構部３１は、固定接点部（図示せず）と、この固定接点部に対して接触および開離可能に配置された可動接点部（図示せず）を有し、操作部２０の可動部２１の第１方向Ｚ沿いの移動によりオンオフするように構成されている。
【００１７】
各端子３２は、端子電極部３３と、板ばね３４とで構成されている。端子電極部３３は、略Ｕ字状の板状体で、後述する第１貫通孔１２を介してハウジング１１の内部に挿入された電線の導体部９０に対して接触可能に配置されている。また、板ばね３４は、端子電極部３３に接続された一端の固定部３３１と、固定部３３１に対して弾性変形可能な他端の弾性部３３２と、固定部３３１と弾性部３３２とを連結する湾曲部３３３とを有している。弾性部３３２は、第１貫通孔１２を介してハウジング１１の内部に挿入された電線の導体部９０を端子電極部３３と共に挟持可能に配置されている。
【００１８】
また、図３に示すように、ハウジング１１の第２面１１２には、各対が１つの端子３２が収容された第１収容部１１３（図２に示す）に接続されている数対の第１貫通孔１２および第２貫通孔１３と、後述する接続部４０が収容された第２収容部１１４（図４および図５に示す）に接続された接続用貫通孔１４とが設けられている。この実施形態では、接続用貫通孔１４は、第２面１１２の第３方向Ｘに対向する一対の辺の一方に沿って第２方向Ｙに延びる第１接続用貫通孔１４１と、第２方向Ｙにおいて第１スイッチ部３０１および第２スイッチ部３０２の間に配置されて第３方向Ｘに延びる第２接続用貫通孔１４２とで構成されている。
【００１９】
各第１貫通孔１２は、電線の導体部９０が挿抜可能に構成され、各第２貫通孔１３は、各第１貫通孔１２の第２方向Ｙに隣接しかつ一例としてマイナスドライバなどの長尺の治具１００（図２に示す）が挿抜可能に構成されている。各接続用貫通孔１４は、後述する接続部４０の操作突起部４１３、４２３が第２方向Ｙまたは第３方向Ｘに沿って移動可能に構成されている。
【００２０】
図４に示すように、第１スイッチ部３０１の端子３２は、第１接続端子３２１、ＮＣ（ノーマリークローズ）端子３２２（第１端子の一例）、ＮＯ（ノーマリーオープン）端子３２３（第２端子の一例）、および、共通端子３２４で構成され、この順に図４の上から下に向かって（すなわち、第３方向Ｘに沿って）等間隔で並んで配置されている。また、第２スイッチ部３０２の端子３２は、図４の上側から下側に向かって、ＮＣ端子３２５、ＮＯ端子３２６、共通端子３２７、および、第２接続端子３２８で構成され、この順に図４の上から下に向かって等間隔で並んで配置されている。
【００２１】
各スイッチ部３０１、３０２は、共通端子３２４、３２７とＮＣ端子３２２、３２５とに接続された第１導通経路６１と、共通端子３２４、３２７とＮＯ端子３２３、３２６とに接続された第２導通経路６２とをそれぞれ切り替え可能に構成されている。
【００２２】
なお、第１接続端子３２１は、例えば、ＬＥＤ接続用のマイナス端子であり、第２接続端子３２８は、ＬＥＤ接続用のプラス端子である。
【００２３】
接続部４０は、一例として、隣接する２つのスライドスイッチ（以下、第１スライドスイッチ４１および第２スライドスイッチ４２という。）で構成されている。第１スライドスイッチ４１および第２スライドスイッチ４２の各々は、矩形の板状で、長手方向の両端部にそれぞれ接点部４１１、４１２、４２１、４２２を有している。また、各スライドスイッチ４１、４２の長手方向の略中央部には、端子台１０の第２面１１２の接続用貫通孔１４から端子台１０の外部に露出する操作突起部４１３、４２３がそれぞれ設けられている。なお、第１スライドスイッチ４１は、第１接続部の一例であり、第２スライドスイッチ４２は、第２接続部の一例である。
【００２４】
また、第１スライドスイッチ４１は、第１接続端子３２１、ＮＣ端子３２２、ＮＯ端子３２３、および、共通端子３２４の配列方向に交差（例えば、直交）する方向（すなわち、第２方向Ｙ）に沿ってスライド移動可能に構成され、第２スライドスイッチ４２は、ＮＣ端子３２５、ＮＯ端子３２６、共通端子３２７、および、第２接続端子３２８の配列方向（すなわち、第３方向Ｘ）に沿ってスライド移動可能に構成されている。
【００２５】
第１スライドスイッチ４１を第２方向Ｙにスライド移動させると、図５に示すように、第１スイッチ部３０１の共通端子３２４と第２スイッチ部３０２の第２接続端子３２８とが接続されたり、図４に示すように、第１スイッチ部３０１の共通端子３２４と第２スイッチ部３０２の第２接続端子３２８との接続が解除されたりする。また、第２スライドスイッチ４２を第３方向Ｘにスライド移動させると、図５に示すように、第２スイッチ部３０２の共通端子３２７と第２スイッチ部３０２の第２接続端子３２８とが接続されたり、図４に示すように、第２スイッチ部３０２の共通端子３２７と第２スイッチ部３０２の第２接続端子３２８との接続が解除されたりする。すなわち、第１スライドスイッチ４１および第２スライドスイッチ４２をスライド移動させて、図５に示すように、第１スイッチ部３０１の共通端子３２４と第２スイッチ部３０２の第２接続端子３２８とを接続し、第２スイッチ部３０２の共通端子３２７と第２スイッチ部３０２の第２接続端子３２８とを接続することで、第１スイッチ部３０１の共通端子３２４と第２スイッチ部３０２の共通端子３２７とを接続することができる。
【００２６】
前記端子台１０によれば、複数のスイッチ部３０の隣接するスイッチ部３０１、３０２における共通端子３２４、３２７間を接続可能に配置された接続部４０を備えている。この接続部４０により、各スイッチ部３０の共通端子３２４、３２７を渡り線用の端子として利用することができるので、渡り線専用の端子を設ける必要がない。その結果、設ける端子の数を低減して、小型化を図ることが可能なプッシュイン式の端子台１０を実現できる。
【００２７】
また、一対の接続端子３２１、３２８をさらに備え、接続部４０が、隣接するスイッチ部３０１、３０２の一方の共通端子３２４と一対の接続端子３２１、３２８の一方とを接続可能に配置された第１接続部４１と、隣接するスイッチ部３０１、３０２の他方の共通端子３２７と一対の接続端子３２１、３２８の一方とを接続可能に配置された第２接続部４２とで構成されている。このように構成することで、簡単な構成で、各スイッチ部３０の共通端子３２４、３２７を渡り線用の端子として利用することができるので、小型化を図ることが可能なプッシュイン式の端子台１０を容易に実現できる。
【００２８】
また、第１接続部４１および第２接続部４２の各々が、隣接するスイッチ部３０１、３０２の一方の共通端子３２４と一対の接続端子３２１、３２８の一方との間の接続状態、および、隣接するスイッチ部３０１、３０２の他方の共通端子３２７と一対の接続端子３２１、３２８の一方との間の接続状態を切り替え可能なスイッチで構成されている。このように構成することで、簡単な構成で、各スイッチ部３０の共通端子３２４、３２７を渡り線用の端子として利用することができるので、小型化を図ることが可能なプッシュイン式の端子台１０を容易に実現できる。
【００２９】
第１接続部４１が、共通端子３２４、３２７、第１端子３２２、３２５、および、第２端子３２３、３２６の配列方向に交差する方向に沿ってスライド可能なスライドスイッチであり、第２接続部４２が、共通端子３２４、３２７、第１端子３２２、３２５、および、第２端子３２３、３２６の配列方向に沿ってスライド可能なスライドスイッチである。このように構成することで、簡単な構成で、各スイッチ部３０の共通端子３２４、３２７を渡り線用の端子として利用することができるので、小型化を図ることが可能なプッシュイン式の端子台１０を容易に実現できる。
【００３０】
なお、スイッチ部３０は、複数設けられていればよく、３以上のスイッチ部３０が設けられていても構わない。
【００３１】
第１スイッチ部３０１の端子３２の配列は、第１接続端子３２１、ＮＣ端子３２２、ＮＯ端子３２３、および、共通端子３２４の順に限らず、任意に設定することができる。同様に、第２スイッチ部３０２の端子３２の配列は、ＮＣ端子３２５、ＮＯ端子３２６、共通端子３２７、および、第２接続端子３２８の順に限らず、任意に設定することができる。
【００３２】
一対の接続端子３２１、３２８は、必ずしも設けられている必要はなく、省略しても構わない。また、各接続端子３２１、３２８は、共通端子３２４、３２７、第１端子３２２、３２５、および、第２端子３２３、３２６と直列的に配置されていなくてもよい。例えば、図６に示すように、各接続端子３２１、３２８は、隣接するスイッチ部３０１、３０２の間に配置することもできる。なお、図６に複数の端子台１０を渡り線５０で配線するときの一例を示す。このように配線することで、各端子台１０に印加される電圧を統一することができる。
【００３３】
接続部４０は、第１スライドスイッチ４１および第２スライドスイッチ４２で構成する場合に限らない。例えば、図７に示すように、第１接続部および第２接続部の各々をショートバー（短絡バー）４３１、４３２で構成することもできる。この場合、各接続部４３１、４３２を第１方向Ｚに沿って挿抜させることで、第１スイッチ部３０１の共通端子３２４と第２スイッチ部３０２の共通端子３２７とを接続することができる。
【００３４】
また、接続部４０は、図８に示すように、回転式のスイッチ４４１、４４２で構成することもできる。この場合、図９および図１０に示すように、各スイッチ４４１、４４２（図９および図１０には、一方のスイッチ４４１のみ示す）を第１方向Ｚまわり回転させることで、第１スイッチ部３０１の共通端子３２４と第２スイッチ部３０２の共通端子３２７とを接続することができる。
【００３５】
また、接続部４０は、図１１に示すように、ピン式のスイッチ４５１、４５２で構成することもできる。この場合、図１２および図１３に示すように、各スイッチ４５１、４５２（図１２および図１３には、一方のスイッチ４５１のみ示す）を第１方向Ｚに沿って挿抜させることで、第１スイッチ部３０１の共通端子３２４と第２スイッチ部３０２の共通端子３２７とを接続することができる。
【００３６】
また、接続部４０は、図１４に示すように、プッシュプル式のスイッチ４６１、４６２で構成することもできる。この場合、図１５および図１６に示すように、各スイッチ４６１、４６２（図１５および図１６には、一方のスイッチ４６１のみ示す）を第１方向Ｚに沿って移動させることで、第１スイッチ部３０１の共通端子３２４と第２スイッチ部３０２の共通端子３２７とを接続することができる。
【００３７】
すなわち、接続部４０は、複数のスイッチ部３０の隣接するスイッチ部３０１、３０２における共通端子３２４、３２７間を接続可能に配置されていればよく、例えば、１つのスイッチなどの接続部材で構成してもよいし、３つ以上の接続部材で構成してもよい。
【００３８】
前記端子台１０は、プッシュイン式の端子台であれば、任意の構成を採用することができる。
【００３９】
以上、図面を参照して本開示における種々の実施形態を詳細に説明したが、最後に、本開示の種々の態様について説明する。なお、以下の説明では、一例として、参照符号も添えて記載する。
【００４０】
本開示の第１態様の端子台１０は、
電線の導体部９０をそれぞれ挿抜可能な複数の貫通孔１２が設けられた端子接続面１１２を有する箱状のハウジング１１と、
前記ハウジング１１の内部に並列に設けられ、前記複数の貫通孔１２の各々を介して前記ハウジング１１の内部に挿入された前記電線の前記導体部９０に対して接触可能に配置された複数の端子３２をそれぞれ有する複数のスイッチ部３０と
を備え、
前記複数のスイッチ部３０の各々が、
前記複数の端子３２として、前記複数のスイッチ部３０の並列方向に交差する方向に間隔を空けて並んで配置された共通端子３２４、３２７、第１端子３２２、３２５および第２端子３２３、３２６を有し、前記共通端子３２４、３２７および前記第１端子３２２、３２５に接続された第１導通経路６１と、前記共通端子３２４、３２７および前記第２端子３２３、３２６に接続された第２導通経路６２とをそれぞれ切り替え可能な端子台１０であって、
前記複数のスイッチ部３０の隣接するスイッチ部３０１、３０２における前記共通端子３２４、３２７間を接続可能に配置された接続部４０をさらに備える。
【００４１】
第１態様の端子台１０によれば、接続部４０により、各スイッチ部３０の共通端子３２４、３２７を渡り線用の端子として利用することができるので、渡り線専用の端子を設ける必要がない。その結果、設ける端子の数を低減して、小型化を図ることが可能なプッシュイン式の端子台１０を実現できる。
【００４２】
本開示の第２態様の端子台１０は、
一対の接続端子３２１、３２８をさらに備え、
前記接続部４０が、前記隣接するスイッチ部３０１、３０２の一方の前記共通端子３２４と前記一対の接続端子３２１、３２８の一方とを接続可能に配置された第１接続部４１と、前記隣接するスイッチ部３０１、３０２の他方の前記共通端子３２７と前記一対の接続端子３２１、３２８の一方とを接続可能に配置された第２接続部４２とで構成されている。
【００４３】
第２態様の端子台１０によれば、簡単な構成で、各スイッチ部３０の共通端子３２４、３２７を渡り線用の端子として利用することができるので、小型化を図ることが可能なプッシュイン式の端子台１０を容易に実現できる。
【００４４】
本開示の第３態様の端子台１０は、
前記第１接続部４１および前記第２接続部４２の各々が、前記隣接するスイッチ部３０１、３０２の一方の前記共通端子３２４と前記一対の接続端子３２１、３２８の一方との間の接続状態、および、前記隣接するスイッチ部３０１、３０２の他方の前記共通端子３２７と前記一対の接続端子３２１、３２８の一方との間の接続状態を切り替え可能なスイッチで構成されている。
【００４５】
第３態様の端子台１０によれば、簡単な構成で、各スイッチ部３０の共通端子３２４、３２７を渡り線用の端子として利用することができるので、小型化を図ることが可能なプッシュイン式の端子台１０を容易に実現できる。
【００４６】
本開示の第４態様の端子台１０は、
前記第１接続部４１が、前記共通端子３２４、３２７、前記第１端子３２２、３２５および前記第２端子３２３、３２６の配列方向に交差する方向に沿ってスライド可能なスライドスイッチであり、
前記第２接続部４２が、前記配列方向に沿ってスライド可能なスライドスイッチである。
【００４７】
第４態様の端子台１０によれば、簡単な構成で、各スイッチ部３０の共通端子３２４、３２７を渡り線用の端子として利用することができるので、小型化を図ることが可能なプッシュイン式の端子台１０を容易に実現できる。
【００４８】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００４９】
本開示の端子台は、例えば、押ボタンスイッチに適用できる。
【符号の説明】
【００５０】
１  押ボタンスイッチ
１０  端子台
１１  ハウジング
１１１  第１面
１１２  第２面（端子接続面の一例）
１１３  第１収容部
１１４  第２収容部
１２  第１貫通孔
１３  第２貫通孔
１４  接続用貫通孔
１４１  第１接続用貫通孔
１４２  第２接続用貫通孔
２０  操作部
２１  可動部
３０  スイッチ部
３０１  第１スイッチ部
３０２  第２スイッチ部
３１  接点機構部
３２  端子
３２１  第１接続端子
３２２、３２５  ＮＣ端子（第１端子の一例）
３２３、３２６  ＮＯ端子（第２端子の一例）
３２４、３２７  共通端子
３３  端子電極部
３３１  固定部
３３２  弾性部
３３３  湾曲部
３４  板ばね
４０  接続部
４１  第１スライドスイッチ（第１接続部の一例）
４２  第２スライドスイッチ（第２接続部の一例）
４１１、４１２、４２１、４２２  接点部
４２３、４２３  操作突起部
４３１、４３２  ショートバー
４４１、４４２  回転式のスイッチ
４５１、４５２  ピン式のスイッチ
４６１、４６２  プッシュプル式のスイッチ
５０  渡り線
６１  第１導通経路
６２  第２導通経路
９０  導体部
１００  治具
【図１】
2020095828.tif 000003
【図２】
2020095828.tif 000004
【図３】
2020095828.tif 000005
【図４】
2020095828.tif 000006
【図５】
2020095828.tif 000007
【図６】
2020095828.tif 000008
【図７】
2020095828.tif 000009
【図８】
2020095828.tif 000010
【図９】
2020095828.tif 000011
【図１０】
2020095828.tif 000012
【図１１】
2020095828.tif 000013
【図１２】
2020095828.tif 000014
【図１３】
2020095828.tif 000015
【図１４】
2020095828.tif 000016
【図１５】
2020095828.tif 000017
【図１６】
2020095828.tif 000018